(57)【要約】【課題】配光分布の落ち込みを抑制しながら配光範囲を拡げること。【解決手段】照明器具１は、灯具本体１０の光出射側である前面に前面カバーを備え、前面カバーは、灯具本体１０の前面１０Ｆから出射される出射光Ｌ０の一部が入射し、入射光Ｌ１〜Ｌ４を器具光軸ＬＣと異なる方向に配光する光制御部３２を有し、光制御部３２は、複数の反射面Ｍ１〜Ｍ４を有し、複数の反射面Ｍ１〜Ｍ４は、器具光軸ＬＣに対し複数の異なる傾斜角を有する。【選択図】図３
2019212435.tif 000002
【特許請求の範囲】
【請求項１】
光を投光する灯具本体と、
前記灯具本体の光出射面の光出射側である前側に設けられる前側部材とを備え、
前記前側部材は、
前記灯具本体の光出射面側に延び、前記光出射面から出射される出射光の一部が入射し、入射光を、前記灯具本体の器具光軸と異なる方向に配光する光制御部を有し、
前記光制御部は、複数の反射面を有し、
前記複数の反射面は、前記器具光軸に対し複数の異なる傾斜角を有する
ことを特徴とする照明器具。
【請求項２】
前記灯具本体の１／１０配光角が８°〜６０°の範囲内であることを特徴とする請求項１に記載の照明器具。
【請求項３】
前記光制御部は、前記出射光の２％〜１０％を配光することを特徴とする請求項１又は２に記載の照明器具。
【請求項４】
前記反射面の傾斜角は、前記器具光軸に対し２°〜２０°であることを特徴とする請求項１から３のいずれかに記載の照明器具。
【請求項５】
前記反射面が間隔を空けて配置されていることを特徴とする請求項４に記載の照明器具。
【請求項６】
前記光制御部は、前記器具光軸よりも鉛直上方に向かう光を配光することを特徴とする請求項１から５のいずれかに記載の照明器具。
【請求項７】
前記光制御部は、前記器具光軸よりも鉛直下方に向かう光を配光することを特徴とする請求項１から６のいずれかに記載の照明器具。
【発明の詳細な説明】
【技術分野】
【０００１】
本発明は、照明器具に関する。
【背景技術】
【０００２】
照明器具には、スタジアムに設置された鉄塔に支持される灯具本体を備え、この灯具本体によってスタジアムを照明するスタジアム用投光器が知られている。この種の照明器具には、光源の光を反射する反射体の頂部を前方に突出させた構成や、その反射体を、配光曲線を直線状に制御する光学特性にした構成が開示されている（例えば、特許文献１、２参照）。
また、ＨＩＤランプを使用したスタジアム用投光器には、マルチフォーカス配光を実現するための反射鏡を設けた構成も知られている。
【先行技術文献】
【特許文献】
【０００３】
【特許文献１】特開２００１−１５５５１９号公報
【特許文献２】特開２０１６−９６０６０号公報
【発明の概要】
【発明が解決しようとする課題】
【０００４】
ところで、この種の照明器具において、灯具本体の直下近傍に配光範囲を拡げることができれば、スタジアムに必要な照明器具の台数を低減可能になる。
しかし、特許文献１、２に記載の技術では、灯具本体の直下に配光範囲を拡げることは難しい。また、マルチフォーカス配光を実現する照明器具で目標領域を灯具本体の直下近傍にした場合、目標領域以外は暗くなり、配光分布の落ち込みが生じる。
【０００５】
本発明は、上述した事情に鑑みてなされたものであり、配光分布の落ち込みを抑制しながら配光範囲を拡げることを目的とする。
【課題を解決するための手段】
【０００６】
上記目的を達成するために、本発明の照明器具は、光を投光する灯具本体と、前記灯具本体の光出射面の光出射側である前側に設けられる前側部材とを備え、前記前側部材は、前記灯具本体の光出射面側に延び、前記光出射面から出射される出射光の一部が入射し、入射光を、前記灯具本体の器具光軸と異なる方向に配光する光制御部を有し、前記光制御部は、複数の反射面を有し、前記複数の反射面は、前記器具光軸に対し複数の異なる傾斜角を有することを特徴とする。
【０００７】
また、本発明は、上記照明器具において、前記灯具本体の１／１０配光角が８°〜６０°の範囲内であることを特徴とする。
【０００８】
また、本発明は、上記照明器具において、前記光制御部は、前記出射光の２％〜１０％を配光することを特徴とする。
【０００９】
また、本発明は、上記照明器具において、前記反射面の傾斜角は、前記器具光軸に対し２°〜２０°であることを特徴とする。
【００１０】
また、本発明は、上記照明器具において、前記反射面が間隔を空けて配置されていることを特徴とする。
【００１１】
また、本発明は、上記照明器具において、前記光制御部は、前記器具光軸よりも鉛直上方に向かう光を配光することを特徴とする。
【００１２】
また、本発明は、上記照明器具において、前記光制御部は、前記器具光軸よりも鉛直下方に向かう光を配光することを特徴とする。
【発明の効果】
【００１３】
本発明によれば、配光分布の落ち込みを抑制しながら配光範囲を拡げることができる。
【図面の簡単な説明】
【００１４】
【図１】本発明の第１実施形態に係る照明器具の灯具本体を周辺構成と共に示す側面図である。
【図２】灯具本体を周辺構成と共に正面側から見た図である。
【図３】灯具本体の内部構造と光制御部とを模式的に示した図である。
【図４】光制御部の側断面図である。
【図５】実施例と比較例１、２の配光特性を示した図である。
【図６】図５の続きの図である。
【図７】光制御部の制御光量を示した図である。
【図８】実施例と比較例１、２の照度分布を示す図である。
【図９】第２実施形態に係る照明器具の光制御部の側断面図である。
【図１０】第３実施形態に係る照明器具の光制御部の側断面図である。
【図１１】第４実施形態に係る照明器具の光制御部の側断面図である。
【図１２】灯具本体の光学系の変形例を示す図である。
【発明を実施するための形態】
【００１５】
以下、図面を参照して本発明の実施形態について説明する。
図１は本発明の第１実施形態に係る照明器具１の灯具本体１０を周辺構成と共に示す側面図であり、図２は正面側から見た図である。
この照明器具１は、野球場や競技場等のスタジアムに用いられ、競技面を含むエリアを観客席側から照明する照明器具であり、スタジアム用投光器とも称する。なお、この照明器具１は、スタジアム以外の施設で用いてもよい。
【００１６】
照明器具１は、スタジアム等の施設に設置された鉄塔（照明塔とも称する）に支持される灯具本体１０と、灯具本体１０の前面１０Ｆに設けられた前側部材である前面カバー１１と、灯具本体１０を鉄塔に固定するための取付部材として機能する取付アーム部１２とを備えている。
取付アーム部１２は、灯具本体１０の左右に回動自在に取り付けられる左右のアーム部１３を一体に備える金属部材で形成され、鉄塔に設けられた設置面にボルト固定される。アーム部１３には、回動操作自在な操作ハンドル１４（図２）が設けられ、この操作ハンドル１４の操作によって、左右のアーム部１３に対する灯具本体１０の傾斜角が固定される。これによって、灯具本体１０の器具光軸ＬＣが競技面に向けた角度に設定される。
【００１７】
器具光軸ＬＣは、最大光度方向に沿って延びる軸線であり、図１では照明器具１の側面視で水平方向に延びている。実際の使用時には、器具光軸ＬＣは例えば鉛直角から７０°の方向（鉛直角７０度方向とも称する）に設定される。
【００１８】
灯具本体１０は、発光部を構成する複数の光源ユニット２１と、これら光源ユニット２１を収めるケース体２２とを備え、ケース体２２の前面が、透明ガラス等の透明カバーで覆われる。ケース体２２の前面は、灯具本体１０の前面１０Ｆを構成し、灯具本体１０の前面１０Ｆから各光源ユニット２１の光が器具光軸ＬＣに沿って前方に向けて投光される。つまり、灯具本体１０の前面１０Ｆは、灯具本体１０の光出射面である。また、ケース体２２の背面には、放熱フィン等からなる放熱部２３が設けられる。
各光源ユニット２１は同様の構成であり、上下方向に多列（本実施形態では２列）で配置され、左右方向にも多列（本実施形態では４列）で配置されている。なお、光源ユニット２１の配置はこの配置に限定されない。
【００１９】
前面カバー１１は、灯具本体１０の前面１０Ｆに着脱自在に取り付けられ、ケース体２２の左右から前方に延びる左右の側板部３１Ｓと、左右の側板部３１Ｓの上縁間をつなぐと共に前方に向けて延びる庇部３１Ｔとを一体に備えている。前面カバー１１は、ケース体２２に設けられたフランジ部２２Ｆにボルト等の締結部材によって着脱自在に固定される。
【００２０】
庇部３１Ｔは、灯具本体１０の前面１０Ｆから器具光軸ＬＣに沿って前方へ延びる板形状を有し、より具体的には、器具光軸ＬＣよりも前下がりの傾斜で前方へ延びる板形状に形成されている。また、左右の側板部３１Ｓは、庇部３１Ｔの左右端と灯具本体１０の前面１０Ｆとの間を覆う側面視で三角形状の板材で形成されている。
尚、側板部３１Ｓは庇部３１Ｔをケース体２２に保持するためのものであり、三角板状の板材に限られない。また、ケース体２２の前面に設けられた透明カバーは前面カバー１１の光出射面側に設けてもよい。
【００２１】
前面カバー１１は、金属板等、光を透過せず、かつ耐候性を有する材質で形成されている。この前面カバー１１の庇部３１Ｔの前下がりの傾斜角や庇部３１Ｔの長さを調整することによって、灯具本体１０の器具光軸ＬＣよりも上方の所定角度以上の光を出射させないようにでき、上方への漏れ光による周囲環境への影響を抑制できる。
尚、前面カバー１１は、光を透過しないものに限られない。光を透過する樹脂等により形成してもよい。
また、前面カバー１１の側板部３１Ｓの形状調整によって、灯具本体１０の左右へも漏れ光を抑制でき、漏れ光による周囲環境への影響も抑制可能である。
【００２２】
庇部３１Ｔの内面（下面に相当）には、灯具本体１０の前方へ延びる光制御部３２が設けられている。
図３は灯具本体１０の内部構造と光制御部３２とを模式的に示した図である。
図３に示すように、各光源ユニット２１は、光源として機能するＬＥＤ３３と、ＬＥＤ３３の光を前方に向けて反射する反射鏡３４とを備えている。反射鏡３４は、反射面を楕円反射面とした楕円反射鏡に形成されている。なお、図３中、符号ＬＤは、ＬＥＤ３３の光軸であり、各光軸ＬＤは器具光軸ＬＣと平行である。
【００２３】
図４は光制御部３２の側断面図である。
光制御部３２は、庇部３１Ｔの内面に沿って灯具本体１０の器具光軸ＬＣに沿って前方へ延びると共に、図４に示す側断面形状で庇部３１Ｔの幅方向に延在する板形状に形成されている。
図４に示すように、光制御部３２の上面は、庇部３１Ｔの内面に沿った平面に形成され、庇部３１Ｔの内面に密着した状態で固定される。光制御部３２の固定方法は、ボルト等の締結部材を用いる方法、係合構造、接着等の接合方法を広く適用可能である。
【００２４】
光制御部３２の下面には、器具光軸ＬＣに沿って間隔を空けて複数の反射面Ｍ１、Ｍ２、Ｍ３が形成されている。これら反射面Ｍ１〜Ｍ３は、図３及び図４に示すように、相対的に大きい傾斜角θＡ（本実施形態では１５°）を有する複数の第１反射面Ｍ１と、第１反射面Ｍ１より小さい傾斜角θＢ（本実施形態では１０°）を有する複数の第２反射面Ｍ２と、第２反射面Ｍ２より小さい傾斜角θＣ（本実施形態では５°）を有する複数の第３反射面Ｍ３とを有している。また、各反射面Ｍ１〜Ｍ３の間は、第３反射面Ｍ３よりも小さい傾斜角θＤ（本実施形態では２°）を有する第４反射面Ｍ４に形成されている。
【００２５】
なお、光制御部３２の製作方法は、特に限定されるものではないが、例えば、樹脂材を図４に示す断面形状に型成形し、表面に金属蒸着を施す方法、又は、金属材を切削する方法が適用される。
本構成では、灯具本体１０の前面１０Ｆから出射された光（出射光Ｌ０と表記する）のうち、器具光軸ＬＣよりも鉛直上方に向かう光が各反射面Ｍ１〜Ｍ４に入射する。図３には、灯具本体１０の出射光Ｌ０のうち、光制御部３２に向かう一部の入射光Ｌ１、Ｌ２、Ｌ３、Ｌ４を例示している。
【００２６】
上記したように、光制御部３２の各反射面Ｍ１〜Ｍ４が異なる傾斜角θＡ〜θＤに形成されているので、図３に示すように、各入射光Ｌ１〜Ｌ４が器具光軸ＬＣと異なる方向であって、かつ、互いに異なる方向に反射される。これにより、灯具本体１０から器具光軸ＬＣと異なる複数の方向に出射光Ｌ０が配光される。
【００２７】
より具体的には、各入射光Ｌ１〜Ｌ４の反射方向は、各反射面Ｍ１〜Ｍ４に対する入射角にも依存するが、図３に示すように、第１反射面Ｍ１が最も下方向きに入射光Ｌ１を反射し、第２反射面Ｍ２、第３反射面Ｍ３、及び第４反射面Ｍ４の順で、相対的に反射方向が器具光軸ＬＣの方向に近い傾向となる。
このように４種類の反射面Ｍ１〜Ｍ４を設けているので、複数の異なる方向に、灯具本体１０の出射光Ｌ０を配光制御することができ、配光範囲を灯具本体１０の直下と器具光軸ＬＣとの間の範囲に拡げることが可能となる。このようにして、光制御部３２は、灯具本体１０の光を器具光軸ＬＣと異なる複数の方向に配光制御する配光制御部材として機能する。
【００２８】
次に実施例と比較例について説明する。
図５及び図６は実施例と比較例１、２の配光特性を示した図である。
実施例は、第１実施形態の灯具本体の１／１０配光角を８°〜８１°の範囲で変化させたものである。比較例１は、実施例から光制御部３２を除いたものである。比較例２は、光制御部３２の第１〜第３反射面Ｍ１〜Ｍ３を同一の傾斜角（１０°）に揃えたものである。
図５及び図６において、横軸は鉛直角を示し、鉛直角０°は器具光軸ＬＣに沿った方向である。また、縦軸は光度（ｃｄ／１０００ｌｍ）である。
【００２９】
図５及び図６に示すように、実施例は、比較例１と比べて配光範囲が拡がることが明らかである。例えば、比較例１では１／１０配光角８°で−４０°〜＋４０°の範囲であり、１／１０配光角８１°で−６０°〜＋６０°の範囲であるのに対し、実施例では、１／１０配光角８°で−７０°〜＋４０°の範囲に拡がり、１／１０配光角８１°で−９０°〜＋６０°の範囲に拡がる。
【００３０】
実施例と比較例２との比較では、比較例２は１／１０配光角が小さくなるほど配光分布の落ち込みが大きくなる。これに対し、実施例では、比較例２と比べて配光分布の落ち込みが小さいことが明らかである。
灯具本体１０の直下や、観客席を避けつつ競技面を照明するには鉛直角θ＝７０°程度が好ましい。実施例では１／１０配光角を８°以上にすることで、鉛直角θ＝７０°程度まで照射範囲を拡げることが可能である。
【００３１】
図６に示すように、１／１０配光角が８１°以上では実施例２の配光分布の落ち込みが低減し、実施例２と実施例との配光特性の差が小さくなった。これに対し、１／１０配光角が８０°以下、より好ましくは６０°以下では、実施例２の配光分布の落ち込みが顕著となり、実施例が優位である。
このことから、実施例では、灯具本体１０の１／１０配光角が８°〜８０°の範囲が、配光範囲を十分に拡げ、かつ、配光分布の落ち込みを低減するのに有利であり、灯具本体１０の１／１０配光角が８°〜６０°の範囲がより好ましいことが判る。
【００３２】
また、鉛直角θ＝７０°以上を確保する観点からは、灯具本体１０の１／１０配光角は２０°以上が好ましかった。また、配光分布の落ち込みを実施例２よりも回避する観点からは、１／１０配光角は５０°以下がより好ましかった。
【００３３】
図５及び図６に示すように、実施例は、最大光度が比較例１と同等であり、また最大光度周辺の光度の落ち込みも少ないことが明らかである。つまり、実施例は、器具光軸ＬＣよりも上方の所定角度以上の光を配光するので、軸光度が低下しない。
実施例及び比較例１、２の軸光度を比較したところ、実施例は、比較例１の９９．０％であり、比較例２は比較例１の９８．５％であった。
【００３４】
図７は光制御部３２の制御光量を示した図である。図７の横軸は、１／１０配光角を示し、縦軸は、制御光量として、前面カバー１１への入射光量に対する光制御部３２への入射光量の比率を示している。
光量を確保する観点から、制御光量が２％を超える１／１０配光角１０°以上が好ましい。また、軸光度の低下等を回避する観点から、制御光量の上限が１０％以下となる１／１０配光角６０°以下が好ましい。
【００３５】
図８は実施例と比較例１、２の照度分布を示す図である。図８は１／１０配光角２７°、鉄塔高さ１４ｍ、器具光軸ＬＣを鉛直角７０°方向にした場合である。図８中、符号Ｐ１は、灯具本体１０を支持する鉄塔の中心位置を示し、最も照度が高い領域を符号Ｘ１で示し、照度が低くなる領域順に符号Ｘ２〜Ｘ８を付して示している。
図８に示すように、比較例１では、鉄塔の中心位置Ｐ１近傍が照明されておらず、つまり、灯具本体１０の直下近傍が照明されていない。比較例２では、鉄塔の中心位置Ｐ１近傍まで照明されるものの、図８中、符号Ｚ１で示す領域に照度の落ち込みが生じ、照度むらが大きい。
【００３６】
これに対し、実施例では、鉄塔の中心位置Ｐ１近傍まで照明され、かつ、照度の落ち込みも抑制されている。したがって、実施例に係る一台の照明器具１で、配光分布の落ち込みを抑制しながら、器具光軸ＬＣの方向のエリアＳＰ１と、灯具本体１０の直下近傍のエリアＳＰ２とを照明可能である。
【００３７】
以上説明したように、本実施の形態では、灯具本体１０の光出射側である前側に前面カバー１１を設け、前面カバー１１は、灯具本体１０の前面１０Ｆから出射される出射光Ｌ０の一部が入射し、入射光Ｌ１〜Ｌ４を器具光軸ＬＣと異なる方向に配光する光制御部３２を有し、光制御部３２は、出射光Ｌ０を反射する複数の反射面Ｍ１〜Ｍ４を有し、複数の反射面Ｍ１〜Ｍ４は、器具光軸ＬＣに対し複数の異なる傾斜角を有する。これにより、配光分布の落ち込みを抑制しながら配光範囲を拡げることができ、軸光度の低下も抑制できる。従って、スタジアム等の施設に必要とされる照明器具１の設置台数を低減でき、コスト低減に有利となる。
【００３８】
また、灯具本体１０の１／１０配光角を８°〜６０°の範囲内にすることにより、配光分布の落ち込みの抑制と配光範囲の拡大とを効率良く実現でき、実施例２よりも優れた効果が得られる。
また、光制御部３２は、出射光Ｌ０の２％〜１０％を配光することにより、軸光度の低下を十分に抑制し、かつ、配光範囲の光量を確保し易くなる。
【００３９】
さらに、反射面Ｍ１〜Ｍ４の傾斜角は、器具光軸ＬＣに対し２°〜１５°の範囲にし、これによって、配光分布の落ち込みを抑制しながら所望の配光範囲を得ている。
なお、反射面Ｍ１〜Ｍ４の傾斜角が器具光軸ＬＣに対して２０°を超えると、配光範囲が灯具本体１０の直下を超えてしまうので、反射面Ｍ１〜Ｍ４の傾斜角の範囲は、器具光軸ＬＣに対し２°〜２０°の範囲内が好ましい。
【００４０】
また、光制御部３２は、第１反射面Ｍ１〜第３反射面Ｍ３が間隔を空けて配置されるので、各反射面Ｍ１〜Ｍ３の間の領域を、傾斜角が異なる第４反射面Ｍ４に利用でき、効率良く傾斜角が異なる反射面Ｍ１〜Ｍ４を設けることができる。また、第１反射面Ｍ１〜第３反射面Ｍ３を切削加工等で形成し易くなり、これら反射面Ｍ１〜Ｍ３を製作し易くなる。
しかも、図４に示したように、第１反射面Ｍ１〜第３反射面Ｍ３が、同じ傾斜角毎にまとめて配置されるので、これによっても反射面Ｍ１〜Ｍ３を製作し易くなる。
【００４１】
また、光制御部３２は、器具光軸ＬＣよりも鉛直上方に向かう光を配光するので、照明に使用されない上方への漏れ光の有効利用が可能になり、上方への漏れ光による周囲環境への影響も抑制できる。
【００４２】
（第２実施形態）
図９は第２実施形態に係る照明器具１の光制御部３２の側断面図である。第２実施形態は、光制御部３２の反射面Ｍ１〜Ｍ３の配置が異なる点を除いて第１実施形態と同様である。
図９に示すように、光制御部３２には、第１反射面Ｍ１、第２反射面Ｍ２、第３反射面Ｍ３が器具光軸ＬＣに沿って一つずつ順に並ぶ配置を繰り返しており、各反射面Ｍ１〜Ｍ３の間が第４反射面Ｍ４とされた構成である。
【００４３】
このように、各反射面Ｍ１〜Ｍ３の配置を変更しても、光制御部３２は、各反射面Ｍ１〜Ｍ３で入射光を配光できるので、第１実施形態と同様の各種の効果を得ることができる。また、第１〜第３反射面Ｍ１〜Ｍ３の範囲ＸＡが繰り返すので、各範囲ＸＡの配光特性を均一化できる。
なお、各反射面Ｍ１〜Ｍ３の配置は、上記第１及び第２実施形態の配置に限定されず、適宜に変更してもよい。また、各反射面Ｍ１〜Ｍ４の傾斜角も、器具光軸ＬＣに対し２°〜２０°の範囲内で適宜に変更してもよい。要は、配光分布の落ち込みを抑制しながら所望の配光範囲が得られる範囲で、複数の反射面Ｍ１〜Ｍ４の配置及び傾斜角等を変更してもよい。
【００４４】
（第３実施形態）
図１０は第３実施形態に係る照明器具１の光制御部３２の側断面図である。第３実施形態は、各反射面Ｍ１〜Ｍ３にリブ４１を設ける点を除いて第１実施形態と同様である。
図１０に示すように、各リブ４１は、各反射面Ｍ１〜Ｍ３と第４反射面Ｍ４との間にできる段差に対応する箇所に設けられる。各リブ４１は、光制御部３２を型成形する際に、型を抜き方向ＤＲに抜くことができるように、各反射面Ｍ１〜Ｍ３と第４反射面Ｍ４との間にできる段差を、抜き方向ＤＲに対し所定角度θＲ傾かせる。これにより、スライド型を使用せずに、光制御部３２を型成形できる。なお、上記角度θＲは０°以上の範囲で適宜選択すればよく、例えば２°或いは２°〜数°の範囲が好ましい。
【００４５】
（第４実施形態）
図１１は第４実施形態に係る照明器具１の光制御部３２の側断面図であり、符号Ａは光制御部３２の側断面図、符号Ｂは光制御部３２の一部を拡大した図を示している。第４実施形態は、一定の傾斜角の反射面Ｍ１〜Ｍ３に代えて、側面視で曲線に沿った複数の反射面Ｍ５を設ける点を除いて第１実施形態と同様である。
図１１に示すように、反射面Ｍ５は、傾斜角５°、１０°、１５°を含む曲面に形成される。この反射面Ｍ５は、例えば、放物線、楕円、自由曲面、双曲線等の曲線を規定する線に沿った面とされる。この構成によれば、傾斜角が異なる複数の反射面Ｍ１〜Ｍ３を形成する必要がない分、光制御部３２を製作し易くなる、といった効果が得られる。
【００４６】
上述した各実施形態は、あくまでも本発明の一実施の態様を例示するものであって、本発明の趣旨を逸脱しない範囲で任意に変形、及び応用が可能である。
例えば、灯具本体１０の光学系の構成は適宜に変更してもよい。図１２は光学系の変形例を示す図である。符号Ａで示す灯具本体１０は、反射鏡３４に代えて、投影レンズ５１を配置した構成である。また、符号Ｂで示す灯具本体１０は、ＬＥＤ３３の前方に投影レンズ５２を追加することで、軸光度を稼ぎながら投影レンズ５２によってグレアを抑制し易くした構成である。また、符号Ｃで示す灯具本体１０は、反射鏡３４の前方にフレネルレンズ５３を追加することで、軸光度を稼ぎながらフレネルレンズ５３によってグレアを抑制し易くした構成である。
【００４７】
上記各実施形態においては、器具光軸ＬＣよりも鉛直上方に向かう光（漏れ光を含む）を配光する光制御部３２を設ける場合を説明したが、この光制御部３２に代えて、又は、この光制御部３２に加えて、器具光軸ＬＣよりも鉛直下方に向かう光（漏れ光を含む）を配光する光制御部を設けるようにしてもよい。この場合、下方に向かう不要な光を出射させないようにでき、かつ、下方への漏れ光による周囲環境への影響も抑制できる。
【００４８】
また、光制御部３２を前面カバー１１に設ける場合を説明したが、この構成に限定されない。要は、光制御部３２を灯具本体１０の前面１０Ｆに設けることが可能な任意の前側部材に、光制御部３２を設けるようにすればよい。例えば、反射鏡３４から灯具本体１０の前側に延びる部分を設け、この部分に光制御部３２を設けるようにしてもよいし、灯具本体１０の前面を覆う透明カバーに光制御部３２を設けるようにしてもよい。また、光制御部３２を前面カバー１１や反射鏡３４等と別体の部品に製作する場合に限らず、一体の部品で製作してもよい。
【００４９】
また、上記各実施形態では、鉄塔に配置される灯具本体１０を有する照明器具１に本発明を適用する場合を説明したが、この構成に限定されない。また、下方に向けて光を投光する構成に限定しなくてもよく、例えば、上方に抜けて光を投光する構成の照明器具に本発明を適用してもよい。
【符号の説明】
【００５０】
１  照明器具
１０  灯具本体
１０Ｆ  灯具本体の前面（光出射面）
１１  前面カバー（前側部材）
２１  光源ユニット
２２  ケース体
２３  放熱部
３２  光制御部
３４  反射鏡
４１  リブ
５１、５２  投影レンズ
５３  フレネルレンズ
ＬＣ  器具光軸
ＬＤ  ＬＥＤの光軸
Ｍ１〜Ｍ４  反射面
Ｌ０  出射光
【図１】
2019212435.tif 000003
【図２】
2019212435.tif 000004
【図３】
2019212435.tif 000005
【図４】
2019212435.tif 000006
【図５】
2019212435.tif 000007
【図６】
2019212435.tif 000008
【図７】
2019212435.tif 000009
【図８】
2019212435.tif 000010
【図９】
2019212435.tif 000011
【図１０】
2019212435.tif 000012
【図１１】
2019212435.tif 000013
【図１２】
2019212435.tif 000014